(57)【要約】【課題】画像形成装置を設置する場所や向きの制限を緩和する。また、装置内で詰まった紙を除去する作業の作業性を向上させる。さらに、カートリッジの着脱の操作性、像担持回転体の位置決め精度を確保する。【解決手段】画像形成装置１０では、装置前側と後側に開閉カバー５２、５４を設け、感光体ドラム２２、現像装置を収容するカートリッジを装置前側と後側との２方向へ着脱可能としている。また、開閉カバー５２、５４の何れか一方が開いたときに他方は開くことができず、開閉カバー５２、５４の何れか一方が開いたときに、感光体ドラム２２の回転軸が位置決めされた状態で保持されるようにしている。【選択図】図３
2007286127.tif 000002
【特許請求の範囲】
【請求項１】
像担持回転体と、
前記像担持回転体に潜像を形成する潜像形成手段と、
前記像担持回転体に形成された潜像を現像する現像手段と、
少なくとも前記像担持回転体と前記現像手段とを収容するカートリッジと、
前記カートリッジを２方向へ着脱可能に支持する本体フレームと、
を有することを特徴とする画像形成装置。
【請求項２】
前記本体フレームは、前記カートリッジを前記像担持回転体の回転軸方向と交差する方向の一端側及び他端側へ前記カートリッジを着脱可能に支持することを特徴とする請求項１に記載の画像形成装置。
【請求項３】
前記本体フレームは、前記カートリッジを前記像担持回転体の回転軸方向と直交する方向且つ側方へ前記カートリッジを着脱可能に支持することを特徴とする請求項２に記載の画像形成装置。
【請求項４】
前記カートリッジの前記像担持回転体の回転軸方向と交差する方向の一端側及び他端側に設けられた保持部を有することを特徴とする請求項２又は３に記載の画像形成装置。
【請求項５】
前記本体フレームに設けられ、前記像担持回転体の回転軸方向と交差する方向の一端部から他端部まで延び、前記カートリッジをスライド可能に支持する案内部材を有することを特徴とする請求項２乃至４の何れか１項に記載の画像形成装置。
【請求項６】
前記本体フレームの前記像担持回転体の回転軸方向と直交する方向の一端側に設けられ、前記本体フレームを開閉する第１の開閉部材と、
前記本体フレームの前記像担持回転体の回転軸方向と直交する方向の他端側に設けられ、前記本体フレームを開閉する第２の開閉部材と、
前記第１の開閉部材が開いた際に前記第２の開閉部材が開くことを阻止し、前記第２の開閉部材が開いた際に前記第１の開閉部材が開くことを阻止する開閉制限手段と、
を有することを特徴とする請求項２乃至５の何れか１項に記載の画像形成装置。
【請求項７】
前記開閉制限手段が、
前記第１の開閉部材の開閉動作に連動して前記像担持体の回転軸方向と交差する方向へ移動する第１の被係合部材と、
前記第２の開閉動作の開閉動作に連動して前記像担持体の回転軸方向と交差する方向へ移動する第２の被係合部材と、
前記第１の開閉部材が閉じた状態で、前記第１の被係合部に係脱可能な第１の係合部材と、
前記第２の開閉部材が閉じた状態で、前記第２の被係合部に係脱可能な第２の係合部材と、
前記第２の開閉部材が開く際に前記第１の係合部材を前記第１の被係合部材に係合させ、前記第２の開閉部材が閉じる際に前記第１の係合部材を前記第１の被係合部材から離脱させ、前記第１の開閉部材が開く際に前記第２の係合部材を前記第２の被係合部材に係合させ、前記第１の開閉部材が閉じる際に前記第２の係合部材を前記第２の被係合部材から離脱させる係脱手段と、
を有することを特徴とする請求項６に記載の画像形成装置。
【請求項８】
前記係脱手段が、
前記本体フレームに回動可能に支持され、前記第１の係合部材が一方の回動端側に設けられ、前記第２の係合部材が他方の回動端側に設けられ、一の回動方向へ回動して前記第１の係合部材を前記第１の被係合部材に接近させると共に前記第２の係合部材を前記第２の被係合部材から離間させ、他の回動方向へ回動して前記第２の係合部材を前記第２の被係合部材に接近させると共に前記第１の係合部材を前記第１の被係合部材から離間させるアーム部材と、
前記第１の開閉部材及び前記第２の開閉部材が閉じた状態で、前記第１の係合部材が前記第１の被係合部材から離脱し、前記第２の係合部材が前記第２の被係合部材から離脱する位置で停止させ、前記第１の開閉部材が開く際に、前記アーム部材を前記他の回動方向へ回動させて前記第２の係合部材を前記第２の被係合部材に係合させ、前記第１の開閉部材が閉じる際に、前記アーム部材を前記一の回動方向へ回動させて前記第２の係合部材を前記第２の被係合部材から離脱させる第１の回動制御手段と、
前記第２の開閉部材が開く際に、前記アーム部材を前記一の回動方向へ回動させて前記第１の係合部材を前記第１の被係合部材に係合させ、前記第２の開閉部材が閉じる際に、前記アーム部材を前記他の回動方向へ回動させて前記第１の係合部材を前記第１の被係合部材から離脱させる第２の回動制御手段と、
を有することを特徴とする請求項７に記載の画像形成装置。
【請求項９】
前記第１の開閉部材及び前記第２の開閉部材が閉じた状態、及び前記第１の開閉部材及び前記第２の開閉部材の何れか一方が開いた状態で、前記像担持回転体の回転軸を位置決めし且つ保持する位置決め保持手段を有することを特徴とする請求項６乃至８の何れか１項に記載の画像形成装置。
【請求項１０】
前記位置決め保持手段が、
前記像担持回転体の回転軸を位置決めする位置決め部と、
本体フレームに支持され、前記位置決め部と上下方向に対向し前記位置決め部に対して接離可能とされた一対の保持部材と、
前記一対の保持部材を介して前記像担持回転体の回転軸を前記位置決め部へ付勢する回転軸付勢手段と、
前記第１の開閉部材の開閉動作に連動して移動し、前記第１の開閉部材側の前記保持部材を前記位置決め部から離間する側へ、前記第１の開閉部材が閉じた状態で変位不能とし、前記第１の開閉部材が開いた状態で変位可能とする第１の保持手段と、
前記第２の開閉部材の開閉動作に連動して移動し、前記第２の開閉部材側の前記保持部材を前記位置決め部から離間する側へ、前記第２の開閉部材が閉じた状態で変位不能とし、前記第２の開閉部材が開いた状態で変位可能とする第２の保持手段と、
を有することを特徴とする請求項９に記載の画像形成装置。
【請求項１１】
前記本体フレームに支持され、前記像担持回転体の回転軸と係脱可能である駆動部材と、
前記第１の開閉部材及び前記第２の開閉部材が閉じる際に、前記駆動部材を前記像担持回転体の回転軸に係合させ、前記第１の開閉部材及び前記第２の開閉部材の何れか一方が開く際に、前記駆動部材を前記像担持回転体の回転軸から離脱させる駆動部材係脱手段と、
を有することを特徴とする請求項６乃至１０の何れか１項に記載の画像形成装置。
【請求項１２】
前記駆動部材係脱手段が、
前記駆動部材を前記像担持回転体の回転軸へ付勢する駆動部材付勢手段と、
前記第１の開閉部材の開閉動作に連動して移動し、前記第１の開閉部材が開く際に、前記駆動部材を前記駆動部材付勢手段の付勢力に抗して前記像担持回転体の反対側へ移動させる第１の駆動部材移動手段と、
前記第２の開閉部材の開閉動作に連動して移動し、前記第２の開閉部材が開く際に、前記駆動部材を前記駆動部材付勢手段の付勢力に抗して前記像担持回転体の反対側へ移動させる第２の駆動部材移動手段と、
を有することを特徴とする請求項１１に記載の画像形成装置。
【請求項１３】
一方のロールが前記本体フレームに支持され、他方のロールが前記第２の開閉部材に支持され、記録媒体を狭持搬送する搬送ロール対と、
前記第２の開閉部材に支持され、前記像担持体に担持された像を前記搬送ロール対によって搬送される記録媒体へ転写させる転写部材と、
を有することを特徴とする請求項６乃至１２の何れか１項に記載の画像形成装置。
【発明の詳細な説明】
【技術分野】
【０００１】
本発明は、少なくとも像担持回転体と現像手段とを収容するカートリッジが本体フレームに着脱可能とされた画像形成装置に関する。
【背景技術】
【０００２】
電子写真方式を用いた画像形成装置の中で、感光体（像担持体）や現像器（現像手段）を１つのカートリッジに収容し、このカートリッジを本体フレームから着脱可能とすることで、感光体と現像器とを一緒に交換できるようにしているものがある（例えば、特許文献１乃至３参照）。
【０００３】
このような画像形成装置では、カートリッジの着脱経路を確保しなければならないことから、また、着脱操作の操作性の問題から、画像形成装置を設置する場所や向きが制限されている。また、例えば、紙詰りが発生した際に、いちいちカートリッジを本体フレームから取り出さなければならず、非常に煩わしいという問題があった。
【特許文献１】特開平１１−２４９３６３号公報
【特許文献２】特開２００４−３３３９２９号公報
【特許文献３】特開２００５−４１７８号公報
【発明の開示】
【発明が解決しようとする課題】
【０００４】
本発明は上記事実を考慮してなされたものであり、画像形成装置を設置する場所や向きの制限を緩和する。また、装置内で詰まった記録媒体を除去する作業の作業性を向上させる。さらに、カートリッジの着脱の操作性、像担持回転体の位置決め精度を確保する。
【課題を解決するための手段】
【０００５】
請求項１に記載の画像形成装置は、像担持回転体と、前記像担持回転体に潜像を形成する潜像形成手段と、前記像担持回転体に形成された潜像を現像する現像手段と、少なくとも前記像担持回転体と前記現像手段とを収容するカートリッジと、前記カートリッジを２方向へ着脱可能に支持する本体フレームと、を有することを特徴とする。
【０００６】
請求項１に記載の画像形成装置では、潜像形成手段によって像担持回転体に潜像が形成され、現像手段によって像担持回転体上の潜像が現像される。また、少なくとも像担持回転体と現像手段とを収容するカートリッジが本体フレームに着脱可能に支持されており、像担持回転体と現像手段とが一緒に本体フレームに着脱されるようになっている。
【０００７】
ここで、カートリッジは、本体フレームに対して２方向へ着脱可能に支持されている。このため、カートリッジの着脱経路が１通りの場合と比較して、カートリッジの着脱経路を確保し易くなり、画像形成装置を設置する場所や向きの制限が緩和される。
【０００８】
請求項２に記載の画像形成装置は、請求項１に記載の画像形成装置であって、前記本体フレームは、前記カートリッジを前記像担持回転体の回転軸方向と交差する方向の一端側及び他端側へ前記カートリッジを着脱可能に支持することを特徴とする。
【０００９】
請求項２に記載の画像形成装置では、カートリッジが、像担持回転体の回転軸方向と交差する方向（以下、交差方向という）の一端側及び他端側へ着脱可能となっている。
【００１０】
請求項３に記載の画像形成装置は、請求項２に記載の画像形成装置であって、前記本体フレームは、前記カートリッジを前記像担持回転体の回転軸方向と直交する方向且つ側方へ前記カートリッジを着脱可能に支持することを特徴とする。
【００１１】
請求項３に記載の画像形成装置では、カートリッジが、像担持回転体の回転軸方向と直交する方向（以下、直交方向という）且つ本体フレームの側方へ着脱可能となっている。
【００１２】
請求項４に記載の画像形成装置は、請求項２又は３に記載の画像形成装置であって、前記カートリッジの前記像担持回転体の回転軸方向と交差する方向の一端側及び他端側に設けられた保持部を有することを特徴とする。
【００１３】
請求項４に記載の画像形成装置では、カートリッジの直交方向の一端側及び他端側に設けられた保持部が設けられているので、カートリッジの着脱を、直交方向の一端側でも直交方向の他端側でも保持部を持って行うことができるので、操作性が良い。
【００１４】
請求項５に記載の画像形成装置は、請求項２乃至４の何れか１項に記載の画像形成装置であって、前記本体フレームに設けられ、前記像担持回転体の回転軸方向と交差する方向の一端部から他端部まで延び、前記カートリッジをスライド可能に支持する案内部材を有することを特徴とする。
【００１５】
請求項５に記載の画像形成装置では、本体フレームに設けられた案内部材が、交差方向の一端部から他端部まで延びて、カートリッジをスライド可能に支持しており、カートリッジが、案内部材によって交差方向の一端部及び他端部へ案内されて着脱されるようになっている。
【００１６】
請求項６に記載の画像形成装置は、請求項２乃至５の何れか１項に記載の画像形成装置であって、前記本体フレームの前記像担持回転体の回転軸方向と直交する方向の一端側に設けられ、前記本体フレームを開閉する第１の開閉部材と、前記本体フレームの前記像担持回転体の回転軸方向と直交する方向の他端側に設けられ、前記本体フレームを開閉する第２の開閉部材と、前記第１の開閉部材が開いた際に前記第２の開閉部材が開くことを阻止し、前記第２の開閉部材が開いた際に前記第１の開閉部材が開くことを阻止する開閉制限手段と、を有することを特徴とする。
【００１７】
請求項６に記載の画像形成装置では、第１の開閉部材が開かれるとカートリッジを交差方向の一端側から取り出すことができるようになり、第２の開閉部材が開かれるとカートリッジを交差方向の他端側から取り出すことができるようになる。ここで、開閉制御手段によって、第１の開閉部材が開いた際に第２の開閉部材が開くことが阻止され、第２の開閉部材が開いた際に第１の開閉部材が開くことが阻止される。
【００１８】
このため、カートリッジを本体フレームに装着する際、カートリッジを本体フレームの奥側へ一気に押込むと回転軸が本体フレームの支持位置まで移動し、位置決めされるので、操作が容易であり、また、位置決め精度を確保できる。
【００１９】
請求項７に記載の画像形成装置は、請求項６に記載の画像形成装置であって、前記開閉制限手段が、前記第１の開閉部材の開閉動作に連動して前記像担持体の回転軸方向と交差する方向へ移動する第１の被係合部材と、前記第２の開閉動作の開閉動作に連動して前記像担持体の回転軸方向と交差する方向へ移動する第２の被係合部材と、前記第１の開閉部材が閉じた状態で、前記第１の被係合部に係脱可能な第１の係合部材と、前記第２の開閉部材が閉じた状態で、前記第２の被係合部に係脱可能な第２の係合部材と、前記第２の開閉部材が開く際に前記第１の係合部材を前記第１の被係合部材に係合させ、前記第２の開閉部材が閉じる際に前記第１の係合部材を前記第１の被係合部材から離脱させ、前記第１の開閉部材が開く際に前記第２の係合部材を前記第２の被係合部材に係合させ、前記第１の開閉部材が閉じる際に前記第２の係合部材を前記第２の被係合部材から離脱させる係脱手段と、を有することを特徴とする。
【００２０】
請求項７に記載の画像形成装置では、第１の開閉部材の開閉動作に連動して第１の被係合部材が交差方向へ移動し、第２の開閉部材の開閉動作に連動して第２の被係合部材が交差方向へ移動する。第１の開閉部材が閉じた状態で、第１の被係合部材に第１の係合部材が係脱可能であり、第２の開閉部材が閉じた状態で、第２の被係合部材に第２の係合部材が係脱可能である。
【００２１】
ここで、第２の開閉部材が開く際に、係脱手段によって第１の係合部材が第１の被係合部材に係合される。これによって、第１の開閉部材を開くことができなくなる。また、第２の開閉部材が閉じ際に、係脱手段によって第１の係合部材が第１の被係合部材から離脱される。これによって、第１の開閉部材を開くことができるようになる。
【００２２】
また、第１の開閉部材が開く際に、係脱手段によって第２の係合部材が第２の被係合部材に係合される。これによって、第２の開閉部材を開くことができなくなる。また、第１の開閉部材が閉じる際に、係脱手段によって第２の係合部材が第２の被係合部材から離脱される。これによって、第２の開閉部材を開くことができるようになる。
【００２３】
請求項８に記載の画像形成装置は、請求項７に記載の画像形成装置であって、前記係脱手段が、前記本体フレームに回動可能に支持され、前記第１の係合部材が一方の回動端側に設けられ、前記第２の係合部材が他方の回動端側に設けられ、一の回動方向へ回動して前記第１の係合部材を前記第１の被係合部材に接近させると共に前記第２の係合部材を前記第２の被係合部材から離間させ、他の回動方向へ回動して前記第２の係合部材を前記第２の被係合部材に接近させると共に前記第１の係合部材を前記第１の被係合部材から離間させるアーム部材と、前記第１の開閉部材及び前記第２の開閉部材が閉じた状態で、前記第１の係合部材が前記第１の被係合部材から離脱し、前記第２の係合部材が前記第２の被係合部材から離脱する位置で停止させ、前記第１の開閉部材が開く際に、前記アーム部材を前記他の回動方向へ回動させて前記第２の係合部材を前記第２の被係合部材に係合させ、前記第１の開閉部材が閉じる際に、前記アーム部材を前記一の回動方向へ回動させて前記第２の係合部材を前記第２の被係合部材から離脱させる第１の回動制御手段と、前記第２の開閉部材が開く際に、前記アーム部材を前記一の回動方向へ回動させて前記第１の係合部材を前記第１の被係合部材に係合させ、前記第２の開閉部材が閉じる際に、前記アーム部材を前記他の回動方向へ回動させて前記第１の係合部材を前記第１の被係合部材から離脱させる第２の回動制御手段と、を有することを特徴とする。
【００２４】
請求項８に記載の画像形成装置では、アーム部材が本体フレームに回動可能に支持されている。このアーム部材の一方の回動端側には第１の係合部材が設けられ、他方の回動端側には第２の係合部材が設けられており、アーム部材の一の回動方向への回動によって、第１の係合部材が第１の被係合部材に接近すると共に、第２の係合部材が第２の被係合部材から離間する。また、アーム部材の他の回動方向への回動によって、第２の係合部材が第２の被係合部材に接近すると共に、第１の係合部材が第１の被係合部材から離間する。
【００２５】
ここで、アーム部材の回動は、第１の回動制御手段と第２の回動制御手段によって制御されている。第１の回動制御手段は、第１の開閉部材及び第２の開閉部材が閉じた状態で、第１の係合部材が第１の被係合部材から離脱し、第２の係合部材が第２の被係合部材から離脱する位置で、アーム部材を停止させる。これによって、第１の開閉部材及び第２の開閉部材が閉じている状態では、第１の開閉部材及び第２開閉部材の双方が本体フレームに係止されていない状態となる。
【００２６】
また、第１の回動制御手段は、第１の開閉部材が開く際に、アーム部材を一の回動方向へ回動させて第２の係合部材を第２の被係合部材に係合させる。これによって、第２の開閉部材が本体フレームに係止されるので、第２の開閉部材を開くことができなくなる。
【００２７】
また、第１の回動制御手段は、第１の開閉部材が閉じる際に、アーム部材を他の回動方向へ回動させて第２の係合部材を第２の被係合部材から離脱させる。これによって、第２の開閉部材を開くことができるようになる。
【００２８】
また、第２の回動制御手段は、第２の開閉部材が開く際に、アーム部材を他の回動方向へ回動させて第１の係合部材を第１の被係合部材に係合させる。これによって、第１の開閉部材が本体フレームに係止されるので、第１の開閉部材を開くことができなる。
【００２９】
さらに、第２の回動制御手段は、第２の開閉部材が閉じる際に、アーム部材を一の回動方向へ回動させて第１の係合部材を第１の被係合部材から離脱させる。これによって、第１の開閉部材を開くことができるようになる。
【００３０】
請求項９に記載の画像形成装置は、請求項６乃至８の何れか１項に記載の画像形成装置であって、前記第１の開閉部材及び前記第２の開閉部材が閉じた状態、及び前記第１の開閉部材及び前記第２の開閉部材の何れか一方が開いた状態で、前記像担持回転体の回転軸を位置決めし且つ保持する位置決め保持手段を有することを特徴とする。
【００３１】
請求項９に記載の画像形成装置では、第１の開閉部材及び第２の開閉部材が閉じた状態で、像担持回転体の回転軸が、位置決め保持手段によって位置決めされ且つ保持されることで、潜像手段による像担持体への潜像の形成が良好に行われる。
【００３２】
ここで、第１の開閉部材及び第２の開閉部材の何れか一方が開かれた際にも、位置決め保持手段によって、像担持回転体の回転軸が位置決めされ且つ保持されるようになっている。このため、カートリッジを本体フレームに装着する際、カートリッジを本体フレームの奥側へ一気に押込むと回転軸が正規位置に位置決めされるので、操作が容易であり、また、位置決め精度を確保できる。また、常時、像担持回転体の回転軸が保持されるので、カートリッジの落下を防止でき、カートリッジやカートリッジに収容された部品、又はカートリッジの周囲の部品の破損を防止できる。
【００３３】
請求項１０に記載の画像形成装置は、請求項９に記載の画像形成装置であって、前記位置決め保持手段が、前記像担持回転体の回転軸を位置決めする位置決め部と、本体フレームに支持され、前記位置決め部と上下方向に対向し前記位置決め部に対して接離可能とされた一対の保持部材と、前記一対の保持部材を介して前記像担持回転体の回転軸を前記位置決め部へ付勢する回転軸付勢手段と、前記第１の開閉部材の開閉動作に連動して移動し、前記第１の開閉部材側の前記保持部材を前記位置決め部から離間する側へ、前記第１の開閉部材が閉じた状態で変位不能とし、前記第１の開閉部材が開いた状態で変位可能とする第１の保持手段と、前記第２の開閉部材の開閉動作に連動して移動し、前記第２の開閉部材側の前記保持部材を前記位置決め部から離間する側へ、前記第２の開閉部材が閉じた状態で変位不能とし、前記第２の開閉部材が開いた状態で変位可能とする第２の保持手段と、を有することを特徴とする。
【００３４】
請求項１０に記載の画像形成装置では、本体フレームに支持された一対の保持部材が位置決め部と上下に対向し、位置決め部に対して接離可能となっており、この一対の保持部材が回転軸付勢手段によって像担持回転体の回転軸に付勢され、像担持回転体の回転軸が位置決め部に付勢されることで、像担持体の回転軸が位置決めされる。また、第１の開閉部材、第２の開閉部材が閉じた状態では、第１の保持手段によって第１の開閉部材側の保持部材が、第２の保持手段によって第２の開閉部材側の保持部材が、共に回転軸から離間する側へ変位不能とされ、固定状態にされることで、回転軸の位置決め精度が確保される。
【００３５】
また、第１の開閉部材が開くと、第１の保持手段が連動して移動し、第１の開閉部材側の保持部材が回転軸付勢手段の付勢力に抗して位置決め部の反対側へ変位可能となるので、カートリッジを第１の開閉部材側へ移動させることができるようになる。
【００３６】
また、第２の開閉部材が開くと、第２の保持手段が連動して移動し、第２の開閉部材側の保持部材が回転軸付勢手段の付勢力に抗して位置決め部の反対側へ変位可能となるので、カートリッジを第２の開閉部材側へ移動させることができるようになる。
【００３７】
請求項１１に記載の画像形成装置は、請求項６乃至１０の何れか１項に記載の画像形成装置であって、前記本体フレームに支持され、前記像担持回転体の回転軸と係脱可能である駆動部材と、前記第１の開閉部材及び前記第２の開閉部材が閉じる際に、前記駆動部材を前記像担持回転体の回転軸に係合させ、前記第１の開閉部材及び前記第２の開閉部材の何れか一方が開く際に、前記駆動部材を前記像担持回転体の回転軸から離脱させる駆動部材係脱手段と、を有することを特徴とする。
【００３８】
請求項１１に記載の画像形成装置では、駆動部材が、像担持回転体の回転軸と係脱可能とされており、駆動部材係脱手段によって、第１の開閉部材及び第２の開閉部材が閉じる際に、係合され、第１の開閉部材及び第２の開閉部材の何れか一方が開く際に、離脱される。
【００３９】
これによって、第１の開閉部材及び第２の開閉部材が閉じた状態で、像担持回転体を回転駆動することができ、また、第１の開閉部材及び第２の開閉部材の何れか一方が開いた状態で、カートリッジを本体フレームから取外すことができるようになる。
【００４０】
請求項１２に記載の画像形成装置は、請求項１１に記載の画像形成装置であって、前記駆動部材係脱手段が、前記駆動部材を前記像担持回転体の回転軸へ付勢する駆動部材付勢手段と、前記第１の開閉部材の開閉動作に連動して移動し、前記第１の開閉部材が開く際に、前記駆動部材を前記駆動部材付勢手段の付勢力に抗して前記像担持回転体の反対側へ移動させる第１の駆動部材移動手段と、前記第２の開閉部材の開閉動作に連動して移動し、前記第２の開閉部材が開く際に、前記駆動部材を前記駆動部材付勢手段の付勢力に抗して前記像担持回転体の反対側へ移動させる第２の駆動部材移動手段と、を有することを特徴とする。
【００４１】
請求項１２に記載の画像形成装置では、第１の開閉部材及び第２の開閉部材が閉じた状態で、駆動部材が、駆動部材付勢手段によって像担持回転体の回転軸へ付勢されて像担持回転体の回転軸と係合する。
【００４２】
一方、第１の開閉部材が開く際に、第１の駆動部材移動手段が連動して移動し、駆動部材が、第１の駆動部材移動手段によって、駆動部材付勢手段の付勢力に抗して像担持回転体の反対側へ移動され、像担持回転体の回転軸から離脱される。
【００４３】
また、第２の開閉部材が開く際に、第２の駆動部材移動手段が連動して移動し、駆動部材が、第２の駆動部材移動手段によって、駆動部材付勢手段の付勢力に抗して像担持回転体の反対側へ移動され、像担持回転体の回転軸から離脱される。
【００４４】
請求項１３に記載の画像形成装置は、請求項６乃至１２の何れか１項に記載の画像形成装置であって、一方のロールが前記本体フレームに支持され、他方のロールが前記第２の開閉部材に支持され、記録媒体を狭持搬送する搬送ロール対と、前記第２の開閉部材に支持され、前記像担持体に担持された像を前記搬送ロール対によって搬送される記録媒体へ転写させる転写部材と、を有することを特徴とする。
【００４５】
請求項１３に記載の画像形成装置では、第２の開閉部材に搬送ロール対の一方のロールと、転写部材が第２の開閉部材に支持されているので、第２の開閉部材が開くと、搬送ロール対の一方のロールが他方のロールから、転写部材が像担持体から離間するので、画像形成中に本体フレーム内で詰まった記録媒体を、カートリッジを装着したまま取り除くことができる。
【発明の効果】
【００４６】
本発明は上記構成にしたので、画像形成装置を設置する場所や向きの制限が緩和される。また、装置内で詰まった記録媒体を除去する作業の作業性が向上される。さらに、カートリッジの着脱の操作性、像担持回転体の位置決め精度を確保できる。
【発明を実施するための最良の形態】
【００４７】
次に本発明の実施形態を図面に基づいて説明する。
【００４８】
図１に示すように、画像形成装置１２には、記録用紙Ｐを収容する給紙トレイ１４、給紙トレイ１４から画像形成部１６へ記録用紙Ｐを搬送する給紙ロール２０、搬送ロール２１が備えられている。給紙ロール２０は、給紙トレイ１４の搬送方向下流端部に配設され、給紙トレイ１４の最上位にセットされている記録用紙Ｐに当接して回転し、最上位の記録用紙Ｐを給紙トレイ１４から送り出す。また、搬送ロール対２１は、記録用紙Ｐの搬送経路に配設されており、給紙ロール２０によって給紙トレイ１４から送り出された記録用紙Ｐを画像形成部１６へ狭持搬送する。
【００４９】
画像形成部１６には、図中時計回り方向（矢印Ａ方向）へ回転する感光体ドラム２２と、感光体ドラム２２の周囲に図中矢印Ａ方向に順に配設された帯電ロール２４、露光装置２６、現像装置２８、転写ロール３０、クリーニング装置３２が備えられている。帯電ロール２４は、感光体ドラム２２に接触して回転し、感光体ドラム２２を一様に帯電する。
【００５０】
また、露光装置２６は、感光体ドラム２２の軸方向に光を走査する光走査方式、又は感光体ドラム２２をライン状に露光するライン露光方式等の公知の露光方式を用いて、感光体ドラム２２に画像データに基づいた静電潜像を形成する。
【００５１】
また、現像装置２８は、感光体ドラム２２に対向して回転する現像ロール２８Ａと、現像ロール２８Ａを回転可能に支持し、トナーとキャリアからなる２成分現像剤又はトナーのみからなる１成分現像剤を収容する収容部２８Ｂと、攪拌機構２８Ｃと、供給ロール２８Ｄとを備えている。現像装置２８では、収容部２８Ｂ内に収容された現像剤が攪拌機構２８Ｃによって攪拌され、攪拌された現像剤が供給ロール２８Ｄから現像ロール２８Ａに供給される。そして、現像ロール２８Ａに現像バイアスが印加されて現像ロール２８Ａから感光体ドラム２８の静電潜像上にトナーが移動する。これによって、感光体ドラム２２の静電潜像が可視化（現像）される。
【００５２】
また、転写ロール３０は、記録用紙Ｐの搬送路を挟んで感光体ドラム２２に当接しており、この転写ロール３０にトナーと逆極性のバイアスが印加されることで、感光体ドラム２２から記録用紙Ｐにトナー像が転写される。また、クリーニング装置３２は、ブレードを感光体ドラム２２に当接させて、感光体２２上の残留トナーを除去する。
【００５３】
そして、画像形成部１６の搬送方向下流側には、定着装置３４が配設されている。この定着装置３４には、記録用紙Ｐの転写面に当接する加熱ロール３４Ａと、記録用紙Ｐの搬送経路を挟んで加熱ロール３４Ａに圧接された加圧ロール３４Ｂとが備えられており、トナー像が転写された記録用紙Ｐが、加熱ロール３４Ａと加圧ロール３４Ｂとにより加圧、加熱されることで、トナー像が記録用紙Ｐに定着する。
【００５４】
そして、定着装置３４の搬送方向下流側には、排紙ロール対３６が配設され、また、画像形成装置１２の上面には排紙トレイ３８が形成されており、排紙ロール対３６は、トナー像が定着された記録用紙Ｐを排紙トレイ３８へ排紙する。
【００５５】
ところで、感光体ドラム２２、帯電ロール２４、現像装置２８、クリーニング装置３２は、１体のカートリッジ５０内に収容されている。このカートリッジ５０は、画像形成装置１２の本体フレーム１３に収容されている。
【００５６】
また、図２、図３に示すように、本体フレーム１３には開閉カバー５２、５４が取付けられている。本体フレーム１３の感光体ドラム２２の回転軸方向と直交する方向（以下、前後方向という）に対向する一対の側面は、開口しており、開閉カバー５４は、感光体ドラム２２や転写ロール３０等が配設された側の開口面（以下、後面という）を閉塞し、開閉カバー５２は、反対側の開口面（以下、前面という）を閉塞している。また、開閉カバー５２、５４は、下側へ傾倒可能に本体フレーム１３に支持されており、開閉カバー５２、５４が下側へ傾倒されることで、本体フレーム１３の前面又は後面が開放される。
【００５７】
また、本体フレーム１３の感光体ドラム２２の回転軸方向に対向する一対の側面には、ガイドレール５５が設けられている。このガイドレール５５は、前後方向へ延びる一対のリブ５５Ａ、５５Ｂで構成されており、下側のリブ５５Ａが、カートリッジ５０の側板から突出したピン５０Ａ及び感光体ドラム２２の回転軸２２Ａを支持している（図４参照）。即ち、開閉カバー５２を開き、カートリッジ５０を本体フレーム１３の前面側へ引出し、または、開閉カバー５４を開き、カートリッジ５０を本体フレーム１３の後面側へ引出すことで、カートリッジ５０を本体フレーム１３から取外すことができる。
【００５８】
ここで、カートリッジ５０を本体フレーム１３の前面側と後面側との２方向へ着脱させることができるように構成したことで、カートリッジ５０の着脱経路が１通りの場合と比較して、カートリッジ５０の着脱経路を確保し易くなり、画像形成装置１２を設置する場所や向きの制限が緩和される。例えば、画像形成装置１２を、前面側を壁に向けて設置しているような場合でも、カートリッジ５０の着脱経路を確保できる。
【００５９】
また、図４に示すように、カートリッジ５０の開閉カバー５２側、開閉カバー５４側にはそれぞれ保持部５９、５７が設けられているので、カートリッジ５０の着脱を開閉カバー５２側でも開閉カバー５４側でも、保持部５９又は保持部５７を持って行うことができるので、操作性が良い。
【００６０】
また、開閉カバー５４には、転写ロール３０、搬送ロール対２１の一方のロール、排紙ロール対３６の一方のロールが、回転可能に取付けられており、開閉カバー５４を開くと転写ロール３０が感光体ドラム２２から、搬送ロール対２１の一方のロールが他方のロールから離間し、また、カートリッジ５０が後面側へ露出するようになっているので、カートリッジ５０の後面側への移動を妨げる障害物も存在しない。このため、開閉カバー５４を開き、カートリッジ５０を本体フレーム１３の後面側へ引出すことで、カートリッジ５０を本体フレーム１３から取外すことができる。
【００６１】
また、図５に示すように、本体フレーム１３内で紙詰まりが発生した場合には、開閉カバー５４を開くだけで、詰まった記録用紙Ｐを取り除くことができる。なお、開閉カバー５２を開き、カートリッジ５０を前面側から取り出してから、本体フレーム１３内で詰まっている記録用紙Ｐを取り除くことも可能である。しかし、開閉カバー５４を開いて本体フレーム１３内に詰まった記録用紙Ｐを取り除く方が、格段に楽である。
【００６２】
ここで、開閉カバー５２、５４の開閉動作に連動する機構について説明する。
【００６３】
図６に示すように、開閉カバー５２は、下端部を本体フレーム１２の下端部に回動可能に支持されている。また、図７に示すように、感光体ドラム２２の回転軸方向一端側に立設された本体フレーム１３の側板（以下、左フレームという）１３Ａには、駆動ギア５６が、左フレーム１３Ａに立設された回転軸５８に回転可能且つ感光体ドラム２２の回転軸と略平行な方向へ変位可能に支持されている。駆動ギア５６は、図示しない駆動源に図示しないギア列を介して連結されている。また、感光体ドラム２２の回転軸２２Ａの軸方向一端部と駆動ギア５６の回転中心とにはそれぞれ、係脱可能なオルダムカップリング等の係合部２２Ｂ、５６Ａが設けられており、係合部２２Ｂ、５６Ａが係合した状態で、駆動源の駆動力が、感光体ドラム２２の回転軸２２Ａへ伝達可能となり、感光体ドラム２２が回転可能となる。
【００６４】
図６、図７に示すように、駆動ギア５６は、開閉カバー５２、５４が開閉すると、係脱機構６１によって回転軸２２Ａの軸方向へ変位され、回転軸２２Ａと係脱される。係脱機構６１は、圧縮コイルバネ（付勢部材）６０、リンク機構６２、リンク機構６３を備えている。圧縮コイルバネ６０は、駆動ギア５６と左フレーム１３Ａとの間に設けられており、駆動ギア５６を右フレーム１３Ｂ（図１１参照）側へ付勢している。
【００６５】
なお、係合部２２Ｂ、５６Ａにはカム形状が形成されており、係合部２２Ｂ、５６Ａは、圧縮コイルバネ６０の付勢力によって当接すると、自動的に係合する位置まで回転する。
【００６６】
また、リンク機構６２は、左フレーム１３Ａに支持され、駆動ギア５６と開閉カバー５２とを連結している。このリンク機構６２は、左フレーム１３Ａに回動可能に支持された第１のリンク板６４、第１のリンク板６４と開閉カバー５２とを連結する第２のリンク板６６、第１のリンク板６４と駆動ギア５６とを連結する第３のリンク板６８、第１のリンク板６４を付勢する引張コイルバネ（付勢部材）７０を備えている。
【００６７】
第１のリンク板６４は、細長い板材で、左フレーム１３Ａの駆動ギア５６と開閉カバー５２の回動軸５２Ａとの間に立設された軸に、回動可能に支持されている。また、第２のリンク板６６は、細長い板材で、開閉カバー５２の下部に設けられたフランジ５２Ｂに回動可能に支持されている。また、第３のリンク板６６は、細長い板材で、第１のリンク板６４の回動端部に回動可能に連結されている。
【００６８】
開閉カバー５２、第１のリンク板６４、第２のリンク板６６、第３のリンク板６８の回動軸は、全て感光体ドラム２２の回転軸２２Ａと略平行になっており、第１のリンク板６４、第２のリンク板６６、第３のリンク板６８、開閉カバー５２は、略平行な平面内で回動する。
【００６９】
また、引張コイルバネ７０は、一端部を、左フレーム１３Ａの第１のリンク板６４と第３のリンク板６８との間に支持され、他端部を、第１のリンク板６４に支持されている。このため、第１のリンク板６４は、後面側（図中反時計回り方向）へ付勢されている。
【００７０】
また、第１のリンク板６４には、支持端側から回動端側へ延びる長孔６４Ａが形成され、第２のリンク板６６の回動端部には、長孔６４Ａにスライド可能に挿入される突起６６Ａが設けられている。開閉カバー５２が閉じると、第１のリンク板６４が引張コイルバネ７０の付勢力によって図中反時計回り方向へ回動されて、突起６６Ａが長孔６４Ａ内で第１のリンク板６４の回動端側へ移動する。また、図８に示すように、開閉カバー５２が開くと、第１のリンク板６４が引張コイルバネ７０の付勢力に抗して図中時計回り方向へ回動して、突起６６Ａが長孔６４Ａ内で第１のリンク板６４の支持端側へ移動する。
【００７１】
また、第３のリンク板６８の回動端部には、回動端側から支持端側へ延びる長孔６８Ａが形成されている。図７に示すように、駆動ギア５６の回転中心には、先端部に係合部５６Ａが形成され、回転軸５８が回転可能に挿入されたボス５６Ｂが形成されており、このボス５６Ｂが第３のリンク板６８の長孔６８Ａにスライド可能に挿入されている。
【００７２】
ボス５６Ｂは、基端側から先端側へ向けて段階的に直径が小さくなる断付き形状をしており、係合部５６Ａが設けられた先端側の小径部、基端側の大径部、中央の中径部を有している。長孔６８Ａには、ボス５６Ａの中径部が挿入されている。
【００７３】
また、第３のリンク板６８の回動端部には、回動端側から支持端側へかけて次第に厚みを減少させるテーパ部６８Ｂが形成されている。このテーパ部６８Ｂは、ボス５６Ｂの大径部側に設けられており、図９（Ａ）に示すように、第３のリンク板６８が、前面側（図中右側）へスライドすると、ボス５６Ｂの大径部に当接し、駆動ギア５６を圧縮コイルバネ６０の付勢力に抗して、左フレーム１３Ａ側へ移動させる。これによって、係合部２２Ｂと係合部５６Ａとの係合が解除される。
【００７４】
即ち、図８、図９（Ａ）に示すように、開閉カバー５２が開くと、第２のリンク板６６によって第１のリンク板６４が図中反時計回りに回動されて、第３のリンク板６８が図中右側へ移動され、そして、駆動ギア５６が左フレーム１３Ａ側へ移動されて係合部５６Ａが係合部２２Ｂから離脱する。
【００７５】
また、図６、図８、図１０に示すように、左フレーム１３Ａには、駆動ギア５６及と開閉カバー５４とを連結するリンク機構６３が支持されている。このリンク機構６３は、開閉カバー５４に回動可能に支持されたリンク板６５、第１のリンク板６５を付勢する引張コイルバネ６７を備えている。
【００７６】
リンク板６５は、細長い板材で、開閉カバー５４の下部に設けられたフランジ５４Ｃに回動可能に支持されている。開閉カバー５４、リンク板６５の回動軸は、全て感光体ドラム２２の回転軸２２Ａと略平行になっており、リンク板６５、開閉カバー５４は、略平行な平面内で回動する。
【００７７】
また、引張コイルバネ６７は、一端部を、左フレーム１３Ａのリンク板６５の下側に支持され、他端部をリンク板６５に支持されている。このため、リンク板６５は、前面側（図中時計回り方向）へ付勢されている。
【００７８】
また、リンク板６５には、回動端側から支持端側へ延びる長孔６５Ａが形成されている。図７に示すように、長孔６５Ａには、ボス５６Ａの小径部が挿入されている。また、リンク板６５の回動端部には、回動端側から支持端側へかけて次第に厚みを減少させるテーパ部６５Ｂが形成されている。このテーパ部６５Ｂは、ボス５６Ｂの大径部側に設けられており、図９（Ｂ）に示すように、リンク板６５が、後面側（図中左側）へスライドすると、ボス５６Ｂの中径部に当接し、駆動ギア５６を圧縮コイルバネ６０の付勢力に抗して、左フレーム１３Ａ側へ移動させる。これによって、係合部２２Ｂと係合部５６Ａとの係合が解除される。
【００７９】
即ち、図１０、図９（Ｂ）に示すように、開閉カバー５４が開くと、リンク板６５が図中左側へ移動され、そして、駆動ギア５６が左フレーム１３Ａ側へ移動されて係合部５６Ａが係合部２２Ｂから離脱する。
【００８０】
また、図１１に示すように、右フレーム１３Ｂには、開閉カバー５２に連結されたリンク機構７２が支持されている。このリンク機構７２は、左フレーム１３Ａに回動可能に支持された第１のリンク板６４、第１のリンク板６４と開閉カバー５２とを連結する第２のリンク板６６、第１のリンク板６４を付勢する引張コイルバネ（付勢部材）７０とを備えている。
【００８１】
右フレーム１３Ｂに支持された第１のリンク板６４、第２のリンク板６６、引張コイルバネ７０の形状、配置、動きは、左フレーム１３Ａに支持された第１のリンク板６４、第２のリンク板６６、引張コイルバネ７０と左右対称である。
【００８２】
また、図１２に示すように、左フレーム１３Ａ、右フレーム１３Ｂ側にはそれぞれ、感光体ドラム２２の回転軸２２Ａを保持する保持機構７４が設けられている。なお、右フレーム１３Ｂ側の保持機構７４の説明は省略するが、左フレーム１３Ａ側の保持機構７４と左右対称の構成である。
【００８３】
保持機構７４は、左フレーム１３Ａに回動可能に支持された第１の保持プレート７６、第２の保持プレート７８、第１の保持プレート７６を付勢する圧縮コイルバネ（付勢部材）８０、第２の保持プレート７８を付勢する圧縮コイルバネ（付勢部材）８２、ガイドレール５５の上側のリブ５５Ｂに形成された位置決め部５５Ｃ、左フレーム１３Ａにスライド可能に支持された第１の保持部材８４、第１の保持部材８４を付勢する引張コイルバネ８６、開閉カバー５４に形成された第２の支持部材５４Ａを備えている。
【００８４】
位置決め部５５Ｃは、回転軸２２Ａの正規位置の鉛直上方において、上側のリブ５５Ｂから下側へ突出した突部である。また、第１の保持プレート７６は、三角形状のプレートで、位置決め部５５Ｃの鉛直下方のリブ５５Ａの切欠き部において左フレーム１３Ａに立設された回動軸に、一の角部を回動可能に支持されている。また、圧縮コイルバネ８０は、一端部を第１の保持プレート７６に支持され、他端部を、第１の保持プレート７６の下方において左フレーム１３Ａに立設されたフランジ１３Ｃに支持されており、第１の保持プレート７６を上方（図中反時計回り方向）へ付勢している。
【００８５】
第１の保持プレート７６は、回転軸２２Ａに当接した状態で、支持端部である角部と回動端部である角部とを略水平にして残りの一の角部を上向きにし、回転軸２２Ａに当接する辺を傾斜させる。
【００８６】
また、第１の保持部材８４は、細長い板材で、左フレーム１３Ａのリブ５５Ａの下側に形成されリブ５５Ａと略平行に延びるリブ１３Ｄとリブ５５Ａとによって、前後方向へスライド可能に支持されている。また、第１の保持部材８４には、長手方向へ延びる長孔８４Ａが形成され、この長孔８４Ａ内に、引張コイルバネ８６が配設されている。引張コイルバネ８６は、一端部を第１の保持部材８４の後面側に支持され、他端部を、左フレーム１３Ａに立設されたフランジ１３Ｅに支持されており、第１の保持部材８４を、前面側へ付勢している。
【００８７】
また、第１のリンク部材６４には、第１の保持部材８４の前面側の端部に当接する突部である当接部６４Ｂが形成されており、開閉カバー５２が閉じる際の第１のリンク部材６４の反時計回り方向への回動動作によって、第１の保持部材８４が、引張コイルバネ８６の付勢力に抗して後面側へスライド移動される。
【００８８】
ここで、第１の保持部材８４は、開閉カバー５２が閉じた状態で、第１の保持プレート７６の回動端部の下側まで延びており、第１の保持プレート７６は、図中時計回り方向へ回動不能となり、回転軸２２Ａが前面側へスライド不能となるようになっている。また、図１３に示すように、開閉カバー５２が開くと、第１の保持部材８４が前面側へスライド移動し、第１の保持プレート７６が、圧縮コイルバネ８０の付勢力に抗して図中時計回り方向へ回動することが可能となるので、回転軸２２Ａは、第１の保持プレート７６を圧縮コイルバネ８０の付勢力に抗して押し下げて前面側へスライド移動することが可能となる。
【００８９】
一方、第２の支持プレート７８、圧縮コイルバネ８２は、位置決め部５５Ｃを通る鉛直な直線に対して、第１の保持プレート７６、圧縮コイルバネ８０と形状、配置が対称となっている。また、第２の支持部材５４Ａは、開閉カバー５４に立設された細長い板材で、開閉カバー５４が閉じた状態で第２の支持プレート７８の回動端部の下側まで延びており、開閉カバー５４が閉じた状態で、第２の支持プレート７８が、図中反時計回り方向へ回動不能となり、回転軸２２Ａが後面側へ移動不能となる。また、図１４に示すように、開閉カバー５４が開くと、第２の支持部材５４Ａが後面側へ移動し、第２の支持プレート７８が、圧縮コイルバネ８２の付勢力に抗して反時計回り方向へ回動することが可能となるので、回転軸２２Ａは、第２の支持プレート７８を圧縮コイルバネ８２の付勢力に抗して押し下げて後面側へ移動することが可能となる。
【００９０】
また、図１２に示すように、第１の保持プレート７６の支持端部と第２の支持プレート７８の支持端部との間隔は、回転軸２２Ａの直径未満となっており、回転軸２２Ａが、第１の保持プレート７６と第２の支持プレートとによって支持されると共に圧縮コイルバネ８０、８２の付勢力によって、回転軸２２Ａが、位置決め部５５Ｃに付勢され、前後方向、上下方向の位置決めをされるようになっている。
【００９１】
また、左フレーム１３Ａ側には、開閉カバー５２、５４の開閉を制限する開閉制限機構８８が設けられている。この開閉制限機構８８は、第１のリンク板６４に連結された第１の被係合部材９３、第１の被係合部材９３に係脱可能な第１の係合部材９０Ａ、開閉カバー５４と一体で形成された第２の被係合部材５４Ｂ、第２の被係合部材５４Ｂに係脱可能な第２の係合部材９０Ｂ、第１の係合部材９０Ａを第１の被係合部材９３に、第２の係合部材９０Ｂを第２の被係合部材５４Ｂに係脱させる係脱機構８９を備えている。
【００９２】
係脱機構８９は、左フレーム１３Ａに回動可能に支持されたロックレバー９０、第１の回動制御機構９１、第２の回動制御機構９５を備えている。第１の回動制御機構９１は、上述した第１の保持部材８４、ロックレバー９０を付勢する圧縮コイルバネ（付勢部材）９２を備えている。また、第２の回動制御機構９５は、左フレーム１３Ａに前後方向へスライド可能に支持されたカム部９４、カム部９４を付勢する圧縮コイルバネ（付勢部材）９６を備えている。
【００９３】
ロックレバー９０は、細長い棒材で、位置決め部５５Ｃの鉛直下方において、左フレーム１３Ａに立設された回動軸に回動可能に支持されている。また、ロックレバー９０の長手方向両端部には、短手方向両側へ延びる棒状の第１の係合部材９０Ａ、第２の係合部材９０Ｂが形成されている。
【００９４】
また、第１の被係合部材９３は、第１の保持部材８４の下方において左フレーム１３Ａに前後方向へスライド可能に支持されると共に、第１のリンク板６４にスライド可能に連結された板材で、第１の係合部材９０Ａが係合可能な孔が形成されている。また、第２の被係合部材５４Ｂは、開閉カバー５４に形成され矩形状の孔が空けられており、この孔に第２の係合部材９０Ｂが係合可能である。
【００９５】
また、ロックレバー９０の回動支点より前面側且つ下側において、左フレーム１３Ａからフランジ部１３Ｆが立設しており、このフランジ部１３Ｆとロックレバー９０の回動支点より前面側とに、圧縮コイルバネ９２の両端部が支持されている。このため、ロックレバー９０は、圧縮コイルバネ９２によって、図中反時計回り方向へ付勢されている。
【００９６】
また、カム部９４は、ロックレバー９０の回動支点より後面側且つ下側において、左フレーム１３Ａに前後方向へスライド可能に支持されたブロック体で、上面に、前面側から後面側へかけて下り勾配のテーパ部９４Ａが形成されている。また、カム部９４より前面側において、左フレーム１３Ａからフランジ部１３Ｇが立設されている。このフランジ部１３Ｇとカム部９４との間に、圧縮コイルバネ９６が配設されており、この圧縮コイルバネ９６によって、カム部９４が後面側へ付勢されている。
【００９７】
ここで、開閉カバー５２、５４の双方を閉じた状態では、第１の係合部材９０Ａが第１の被係合部材９３から離脱し、第２の係合部材９０Ｂが、第２の被係合部５４Ｂから離脱する。この際、第１の係合部材９０Ａは、圧縮コイルバネ９２によって、第１の保持部材８４に押し当てられている。また、第２の被係合部５４Ｂが、カム部９４に当接し、カム部９４を圧縮コイルバネ９６の付勢力に抗して前面側へ移動させている。
【００９８】
また、図１３に示すように、開閉カバー５２が開く際に、第１の保持部材８４が、第１の係合部材９０Ａの回動範囲外まで移動し、ロックレバー９０が圧縮コイルバネ９２の付勢力で図中反時計回り方向へ回動する。すると、第２の係合部材９０Ｂが下がり、第２の被係合部材５４Ｂと係合する。
【００９９】
即ち、開閉カバー５２が開くと、開閉カバー５４が開放不能となる。このため、カートリッジ５０が前面側から装着される際に、第２の支持プレート７８が第２の支持部材５４Ａによって回動不能とされるので、回転軸２２Ａを正規位置で位置決めすることができ、露光装置２６による感光体ドラム２２の露光位置のズレを抑制できる。また、カートリッジ５０を後面側へ一気に押込むだけで回転軸２２Ａが位置決めされるので、操作が容易であり、また、回転軸２２Ａの位置決め精度を確保できる。
【０１００】
また、開閉カバー５２が開いた状態で、回転軸２２Ａが、第１の保持プレート７６、第２の支持プレート７８によって保持され、カートリッジ５０が落下することが無いようになっているので、カートリッジ５０やその周囲の部品の破損を防止できる。
【０１０１】
また、図１４に示すように、開閉カバー５４が開くと、カム部９４を圧縮コイルバネ９６の付勢力に抗して前面側へ押していた第２の支持部材５４Ａが後面側へ後退するので、カム部９４が圧縮コイルバネ９６の付勢力で後面側へスライド移動する。すると、カム部９４のテーパ部９４Ａが第２の係合部材９０Ｂに当接し、ロックレバー９０を圧縮コイルバネ９２の付勢力に抗して図中時計回り方向へ回動させる。その結果、第１係合部材９０Ａが下がり、第１の被係合部材９３の孔に係合する。
【０１０２】
即ち、開閉カバー５４が開くと、開閉カバー５２が開放不能となる。このため、カートリッジ５０が後面側から装着される際に、第１の保持プレート７６が第１の保持部材８４によって回動不能とされるので、回転軸２２Ａを正規位置で位置決めすることができ、露光装置２６による感光体ドラム２２の露光位置のズレを抑制できる。また、カートリッジ５０を前面側へ一気に押込むだけで回転軸２２Ａが位置決めされるので、操作が容易であり、また、回転軸２２Ａの位置決め精度を確保できる。
【０１０３】
また、開閉カバー５４が開いた状態で、回転軸２２Ａが、第１の保持プレート７６、第２の支持プレート７８によって保持され、カートリッジ５０が落下することが無いようになっているので、カートリッジ５０やその周囲の部品の破損を防止できる。
【図面の簡単な説明】
【０１０４】
【図１】本発明の実施形態の画像形成装置の概略を示す側面図である。
【図２】図１の画像形成装置の概略を示す側面図である。
【図３】図１の画像形成装置の概略を示す側面図である。
【図４】図１の画像形成装置に備えられたカートリッジを示す斜視図である。
【図５】図１の画像形成装置の概略を示す側面図である。
【図６】図１の画像形成装置に備えられた係脱機構を示す側面図である。
【図７】図１の画像形成装置に備えられた係脱機構を示す平面図である。
【図８】図１の画像形成装置に備えられた係脱機構を示す側面図である。
【図９】（Ａ）、（Ｂ）は、図１の画像形成装置に備えられた係脱機構を示す平面図である。
【図１０】図１の画像形成装置に備えられた係脱機構を示す側面図である。
【図１１】図１の画像形成装置に備えられたリンク機構を示す側面図である。
【図１２】図１の画像形成装置に備えられた保持機構、開閉制限機構を示す側面図である。
【図１３】図１の画像形成装置に備えられた保持機構、開閉制限機構を示す側面図である。
【図１４】図１の画像形成装置に備えられた保持機構、開閉制限機構を示す側面図である。
【符号の説明】
【０１０５】
１２          画像形成装置
１３          本体フレーム
２１          搬送ロール対
２２          感光体ドラム（像担持回転体）
２２Ａ        回転軸
２６          露光装置（潜像形成手段）
２８          現像装置（現像手段）
３０          転写ロール（転写部材）
５０          カートリッジ
５２          開閉カバー（第１の開閉部材）
５４          開閉カバー（第２の開閉部材）
５４Ａ        第２の保持部材（第２の保持手段）
５４Ｂ        第２の被係合部材
５５          ガイドレール（案内部材）
５５Ｃ        位置決め部
５６          駆動ギア（駆動部材）
５７          保持部
５９          保持部
６０          圧縮コイルバネ（駆動部材付勢手段）
６１          係脱機構（駆動部材係脱手段）
６２          リンク機構（第１の駆動部材移動手段）
６３          リンク機構（第２の駆動部材移動手段）
７４          保持機構（位置決め保持手段）
７６          第１の保持プレート（保持部材）
７８          第２の保持プレート（保持部材）
８０          圧縮コイルバネ（回転軸付勢手段）
８２          圧縮コイルバネ（回転軸付勢手段）
８４          第１の保持部材（第１の保持手段）
８８          開閉制限機構（開閉制限手段）
８９          係脱機構（係脱手段）
９０          ロックレバー（アーム部材）
９０Ａ        第１の係合部材
９０Ｂ        第２の係合部材
９１          第１の回動制御機構（第１の回動制御手段）
９３          第１の被係合部材
９５          第２の回動制御機構（第２の回動制御手段）
Ｐ            用紙（記録媒体）
【図１】
2007286127.tif 000003
【図２】
2007286127.tif 000004
【図３】
2007286127.tif 000005
【図４】
2007286127.tif 000006
【図５】
2007286127.tif 000007
【図６】
2007286127.tif 000008
【図７】
2007286127.tif 000009
【図８】
2007286127.tif 000010
【図９】
2007286127.tif 000011
【図１０】
2007286127.tif 000012
【図１１】
2007286127.tif 000013
【図１２】
2007286127.tif 000014
【図１３】
2007286127.tif 000015
【図１４】
2007286127.tif 000016